(57)【要約】      （修正有）【課題】枕土のう袋を吊り下げることによって、土又は砂等の抵抗を軽減し充填の効率を向上させ、且つ１人で効率的に低コストで枕土のう袋を製作する。【解決手段】枕土のう製作器は、伸縮性のある紐（ゴム又はバネ等）の先端にフックを取り付けたもの３と支持枠１とガイド２で構成し、枕土のう袋が土等の重量で脱落しないことにより、１人で効率的且つ低コストで枕土のうを製作する。【選択図】図１
0003123718.tif 000002
【実用新案登録請求の範囲】
【請求項１】
土嚢を作成するための土嚢作成装置であって、
上部が土の投入口となり下部が放出口となる上下方向に延伸した略筒形状であり、投入口から投入された土を下方に案内して放出口から放出するための１ないし複数のガイド体と、
自立可能であって放出口が所定の高さに位置するように前記ガイド体を中空で支持する支持枠と、
土嚢袋を前記ガイド体の放出口に下方から被せてつり上げた際に、当該土嚢袋の口部分に着脱自在に係止可能な係止体と、
を備えることを特徴とする土嚢作成装置。
【請求項２】
前記ガイド体は、下方に向かって先細る形状であって、かつ、放出口が斜めに切り取られて形成されており、
前記係止体は、土嚢袋の口の閉じ紐に係合させる係合部であって、前記ガイド体の短い方の側線側に配置される係合部を有し、
前記ガイド体に土嚢袋の口を被せて当該ガイド体内に土を投入した際は、当該土嚢袋の口が当該ガイド体の長い方の側線部分と前記係合部とに当接して安定的に保持されるものであることを特徴とする請求項１に記載の土嚢作成装置。
【請求項３】
前記係合部は、フック形状であり、
前記係止体は、前記係合部に接続される伸縮可能な長さ調整部を有しており、
作成する土嚢が長尺形状の枕土嚢であって、枕土嚢を作成した後は、前記長さ調整部を伸長させて枕土嚢を取り外し可能としたことを特徴とする請求項２に記載の土嚢作成装置。
【考案の詳細な説明】
【技術分野】
【０００１】
本考案は、土嚢を作成するための土嚢作成装置に関する。
【背景技術】
【０００２】
従来から、各種土木作業において土嚢が広く利用されている。土嚢は土嚢袋に土を充填した後、土嚢袋の口の閉じ紐を結ぶことで作成される。そして、作成された土嚢は、たとえば、陣地や堤防を築く場合の材料として用いられる。特に、工事現場で用いる場合や災害時の場合には、一時的な陣地や堤防を簡易に築くことができ、使い勝手がよい。
【０００３】
このような土嚢を作成する方法としては、人手により土嚢袋を開口保持しておき、スコップ等で口の部分から土を投入する方法が一般的である。しかし、この場合、開口保持する者とスコップ等で土入れする者との二人の作業員が必要となるため、作業コストが高くなってしまう。また、作業が煩雑であるため、短時間で大量に作成することができず、緊急時に対応することができないことがある。
【０００４】
このような問題点から、土嚢を短時間で大量に作成できる方法が望まれている。たとえば、特許文献１には、一度に大量の土嚢を作成する装置が記載されている。
【０００５】
【特許文献１】特開平１０−１８２６２号公報
【考案の開示】
【考案が解決しようとする課題】
【０００６】
上記特許文献１に記載の技術は、大型の格子状の支持枠を作成し、当該支持枠の格子状の内方にそれぞれ上方から土嚢袋を挿入して固定した後、各土嚢袋に一斉に土を投入して土嚢を作成するものである。これにより、一度に大量の土嚢を作成することが可能となる。
しかしながら、この場合には、支持枠をクレーン等でつり上げて保持しておかねばならず、また、土を投入する際にはショベル機等が必要となり、専用の機械が必要となる。すなわち、規模の大きな作業となるため完全に一人で作業を行うことができず、また、機械の導入等の余分なコストもかかるといった問題点がある。
【０００７】
また、土嚢を作成した後は、各土嚢を地面に載置させておき、その後支持枠から各土嚢を取り外して一斉に地面に配列させる。このため、長尺形状である枕土嚢を作成しようとすると土嚢が地面上に安定せず、枕土嚢の作成には不向きであるといった問題点もある。
【０００８】
本考案は、上記に鑑みてなされたもので、一人でも効率よく土嚢を作成することができ、かつ、様々な種類の土嚢を作成することができる土嚢作成装置を提供することを目的とする。
【課題を解決するための手段】
【０００９】
上記の目的を達成するために、請求項１に記載の土嚢作成装置は、土嚢を作成するための土嚢作成装置であって、上部が土の投入口となり下部が放出口となる上下方向に延伸した略筒形状であり、投入口から投入された土を下方に案内して放出口から放出するための１ないし複数のガイド体と、自立可能であって放出口が所定の高さに位置するように前記ガイド体を中空で支持する支持枠と、土嚢袋を前記ガイド体の放出口に下方から被せてつり上げた際に、当該土嚢袋の口部分に着脱自在に係止可能な係止体と、を備えることを特徴とする。
【００１０】
すなわち、請求項１にかかる考案は、支持枠が自立可能であるので支持枠を保持する作業を省くことができ、一人で作業を行うことが可能となる。また、係止体が着脱自在であるので、土嚢袋に土を投入した後は土嚢袋を土嚢作成装置から容易に取り外すことができる。よって、作業が簡易なものとなり効率的な作業を実現できる。
なお、土とは、土、砂、または、プラスチック粒状体等、巨視的に見た際に土と同視できるものをいう。
【００１１】
また、請求項２に記載の土嚢作成装置は、請求項１に記載の土嚢作成装置において、前記ガイド体が、下方に向かって先細る形状であって、かつ、放出口が斜めに切り取られて形成されており、前記係止体が、土嚢袋の口の閉じ紐に係合させる係合部であって、前記ガイド体の短い方の側線側に配置される係合部を有し、前記ガイド体に土嚢袋の口を被せて当該ガイド体内に土を投入した際は、当該土嚢袋の口が当該ガイド体の長い方の側線部分と前記係合部とに当接して安定的に保持されるものであることを特徴とする。
【００１２】
すなわち、請求項２にかかる考案は、ガイド体に土嚢袋を被せて土を投入した際には、土嚢袋の口が係合部とガイド体の長い方の側線との二点で支持されるため、安定的に保持される。また、土の重みで土嚢袋の口が自然と縛られるので土がもれにくい。よって、作業中にガイド体から土嚢袋が外れたり土がもれたりすることがなく、一層効率的な作業を実現できる。
【００１３】
また、請求項３に記載の土嚢作成装置は、前記係合部が、フック形状であり、前記係止体が、前記係合部に接続される伸縮可能な長さ調整部を有しており、作成する土嚢が長尺形状の枕土嚢であって、枕土嚢を作成した後は、前記長さ調整部を伸長させて枕土嚢を取り外し可能としたことを特徴とする。
【００１４】
すなわち、請求項３にかかる考案は、自立させにくい枕土嚢であっても容易に作成作業を行うことができる。よって、様々な種類の土嚢に対応することが可能となる。
【考案の効果】
【００１５】
本考案（請求項１）によれば、一人で作業を行うことが可能となり、また、効率的な作業を実現できる。本考案（請求項２）によれば、一層効率的な作業を実現できる。本考案（請求項３）によれば、様々な種類の土嚢に対応することが可能となる。
【考案を実施するための最良の形態】
【００１６】
以下、本考案の実施の形態を図面を参照しながら詳細に説明する。
図１は、本考案にかかる土嚢作成装置の構成を示した斜視図である。また、図２は、図１に示した土嚢作成装置の正面図であり、図３は、図１に示した土嚢作成装置の断面図である。
【００１７】
土嚢作成装置１は、長尺形状の枕土嚢を作成することができる装置であって、支持枠２と、支持枠２に設けられた３つのガイド体３と、支持枠２に設けられた３つの係止体４とを備えている。
支持枠２は、たとえば、鉄で形成される自立可能な枠状体であって、略長方形状の枠を形成する支持部２１と、支持部２１から下方に延伸する脚部２２とを有する。
【００１８】
支持部２１は、正面から見た状態において前後方向に延伸する２本の縦棒２１１と、横方向に延伸する２本の横棒２１２と、を有している。
縦棒２１１は、棒状の部材であって、その長さが約３５ｃｍ〜５５ｃｍである。
横棒２１２は、棒状の部材であって、縦棒２１１の手前側または奥側の端部同士を連結している。また、横棒２１２は、その長さが約１５０ｃｍ〜１７０ｃｍである。また、手前側
の横棒２１２には、一定間隔ごとに計３つの取付部２１３が形成されている。
取付部２１３は、後述の係止体４を取り付けるための部材であって、略リング状に形成されている。
このような構成により、支持部２１は、幅が約３５ｃｍ〜５５ｃｍ、かつ、長さが約１５０ｃｍ〜１７０ｃｍの、水平面上に拡がる長方形状の枠となっている。
【００１９】
脚部２２は、支持枠２の脚となる部分であって、支持部２１の各頂点部分から下方に延伸している計４本の棒状の部材である。また、その長さが約８０ｃｍ〜１００ｃｍである。
このような構成により、支持枠２は、自立可能な枠状体であって、その高さが約８０ｃｍ〜１００ｃｍとなっている。
【００２０】
ガイド体３は、たとえば、プラスチックで形成される部材であって、平板状の接続部３１と、接続部３１から下方に延伸するガイド部３２とを有している。
接続部３１は、略正方形状の板状体の中央部分を円形に切り欠いた形状となっており、横棒２１２に取り付けられている。
【００２１】
ガイド部３２は、接続部３１の切り欠き部分から下方に向かって略筒状に形成されており、かつ、下方に向かって先細る形状となっている。これにより、ガイド部３２の上方に投入口３２１が形成され下方に放出口３２２が形成されている。また。ガイド部３２の下端は上下に斜めとなるように切り取られて形成されており、かつ、長い方の側線が横棒２１２上の取付部２１３と反対側に位置している。
なお、たとえば、市販のカラーコーンの円錐状の部分を切断することにより、容易にガイド部３２を形成することも可能である。
【００２２】
係止体４は、土嚢を作成する際に土嚢をつり上げて保持するためのものであり、長さ調整部４１と、長さ調整部４１に接続された係合部４２とを有している。
長さ調整部４１は、伸縮可能な可撓性の部材であって、たとえば、ゴム紐で形成されている。また、長さ調整部４１は、横棒２１２上の取付部２１３に取り付けられている。
【００２３】
係合部４２は、たとえば、鉄で形成されていてその形状がフック状となっている。そして、係合部４２は、長さ調整部４１の先端部分に接続されている。これにより、後述するように、土嚢袋の閉じ紐を引っ掛けるようにして容易に土嚢袋を係止することが可能となり、かつ、着脱自在となる。
【００２４】
そして、土嚢作成装置１を用いて枕土嚢を作成する場合には、まず、土嚢袋Ｗの口をガイド体３の放出口３２２に被せ、さらに、土嚢袋Ｗの口の閉じ紐Ｗ１を係合部４２に引っ掛ける。この作業を各ガイド体に対して行った状態を図１〜図３に示した。
【００２５】
そして、各ガイド体３の投入口３２１に土を投入する。そして、土を投入し続けると、土嚢袋をつり上げた状態であるので、滑らかに土が土嚢袋内に入り込んで充填されていく。このとき、土嚢袋Ｗの口が係合部４２とガイド体３の先端部分との二点に強固に当接する。土嚢袋内に十分に土を充填した後は、長さ調整部４１を伸張させて土嚢袋Ｗの閉じ紐Ｗ１を係合部４２から取り外し、枕土嚢を斜めにして所定位置まで移動させた後、閉じ紐Ｗ１を結んで枕土嚢を完成させる。このようにして作成した枕土嚢は、径が約１５ｃｍ〜２５ｃｍであって長さが約８０ｃｍ〜１００ｃｍの大きさとなる。
【００２６】
このようにして、土嚢作成装置１を用いて一人で枕土嚢を作成した場合、平均的に１日で７００袋を作成することができる。さらに、土嚢作成装置１を用いて二人で枕土嚢を作成した場合には、平均的に１日で１２００袋を作成することができる。
【００２７】
以上のように、この実施形態では、支持枠２が自立可能であるので支持枠２を保持する作業を省くことができ、一人で作業を行うことが可能となる。また、係止体４が土嚢袋Ｗから着脱自在であるので、土嚢袋Ｗに土を投入した後は土嚢袋Ｗを土嚢作成装置１から容易に取り外すことができる。よって、作業が簡易なものとなり効率的な作業を実現できる。
【００２８】
また、ガイド体３に土嚢袋Ｗを被せて土を投入した際には、土嚢袋Ｗの口が係合部４２とガイド体３の長い方の側線との二点で支持されるため、安定的に保持される。また、土の重みで土嚢袋Ｗの口が自然と縛られるので土がもれにくい。よって、作業中にガイド体３から土嚢袋Ｗが外れたり土がもれたりすることがなく、一層効率的な作業を実現できる。
【００２９】
なお、図示はされないが、支持枠２の各取付部２１３に別途フック状の第二の係合部を形成してもよい。この第二の係合部は、通常の土嚢を作成する際に用いるものである。すなわち、通常の土嚢を作成する際には、この第二の係合部に土嚢袋の閉じ紐を引っ掛けて土を投入するようにすればよい。なお、この場合には、各ガイド体３の下の地面に盛土を形成して土嚢を地面に載置できるようにしておくことが好ましい。
このようにすれば、土嚢の口がガイド体３に強固に当接し、また、口が自然に縛られて土がもれにくい。すなわち、枕土嚢のみならず、通常の土嚢も作成することができ、様々な種類の土嚢に対応することが可能となる。
【００３０】
この考案は、以上説明した実施形態に限定されるものではなく、請求項に記載の範囲内において種々の変更が可能である。
たとえば、係止体４は、支持枠２上に取り付けられるものに限らず、ガイド体３に取り付けられるものであってもよい。
【産業上の利用可能性】
【００３１】
本考案は、通常時のみならず、災害時等、緊急に土嚢を作成する場合にも利用可能である。
【図面の簡単な説明】
【００３２】
【図１】本考案にかかる土嚢作成装置の構成を示した斜視図である。
【図２】本考案にかかる土嚢作成装置の正面図である。
【図３】本考案にかかる土嚢作成装置の断面図である。
【符号の説明】
【００３３】
１      土嚢作成装置
２      支持枠
３      ガイド体
４      係止体
４１    長さ調整部
４２    係合部
３２１  投入口
３２２  放出口
【図１】
0003123718.tif 000003
【図２】
0003123718.tif 000004
【図３】
0003123718.tif 000005